(57)【特許請求の範囲】
【請求項１】
複数の帳票部が折り返し可能に並設された第１帳票と、
前記第１帳票の一部の帳票部に重ねられ、その所定の３辺の外縁部が前記第１帳票の一部の帳票部に接着された第２帳票と、
前記第１帳票の他の一部の帳票部に重ねられ、その所定の外縁部が前記第１帳票の他の一部の帳票部に接着された第３帳票とを備え、
前記第１帳票の一部の帳票部と前記第２帳票とにより封筒部を形成し、
前記第１帳票のうち前記封筒部を形成しない帳票部は、情報記録領域を有するとともに前記封筒部に封入される封入用紙部を形成し、
前記第１帳票の他の一部の帳票部と前記第３帳票とにより、前記第３帳票に記録された情報の少なくとも一部が前記第１帳票の他の一部の帳票部に複写される情報複写部を形成する
封筒付きフォームを製造する封筒付きフォームの製造方法において、
前記第１から第３の帳票として、前記第１帳票の前記各帳票部の配列方向と直交する方向に連続する連続帳票を用い、
前記第１帳票の前記封筒部に対応する帳票部に略コ字状に糊引部を、前記第１帳票の前記封入用紙部に対応する帳票部に略帯状に糊引部を形成する糊引部形成工程と、
前記糊引部形成工程後に、前記第１帳票の前記封筒部に対応する帳票部に前記第２帳票を、前記第１帳票の前記封入用紙部に対応する帳票部に前記第３帳票を丁合する丁合工程と、
前記丁合工程後に、前記第１帳票と前記第２帳票及び前記第３帳票とを密接し、前記各糊引部によって接着する接着工程と、
前記接着工程で接着された前記第１帳票と前記第２帳票及び前記第３帳票とを個々のフォーム部に切離す切離工程と、
を備えることを特徴とする封筒付きフォームの製造方法。
【請求項２】
請求項１に記載の封筒付きフォームの製造方法において、
前記第１帳票の一部の帳票部と前記第２帳票のうちいずれか一方の接着されない外縁部は、前記封筒部のフラップ部を形成すること
を特徴とする封筒付きフォームの製造方法。
【請求項３】
請求項１又は請求項２に記載の封筒付きフォームの製造方法において、
前記封筒部は、前記第１帳票の一端部に位置する帳票部に形成され、
前記情報複写部は、前記第１帳票の他端部に位置する帳票部に形成されること
を特徴とする封筒付きフォームの製造方法。
【発明の詳細な説明】
【０００１】
【産業上の利用分野】
この発明は、帳票の一部に封筒が形成された封筒付きフォームの製造方法に関するもの    である。
【０００２】
【従来の技術】
従来より、ガソリンスタンドの会員申込み等において、ガソリンスタンドが入会希望者に渡す入会申込用紙は、以下のようなフォームとなっていた。
図５は、従来の申込用紙の一例の構成を示す図である。図５に示すように、この申込用紙２００は、申込書部５１と控え部５２と規約部５３を備えて構成されている。控え部５２は規約部５３の上に重ねられ、その一端（例えば左端）は規約部５３の一端（左端）に接着されている。また、申込書部５１は控え部５２の上に重ねられ、その一端（例えば左端）は控え部５２の一端（左端）に接着されている。規約部５３には会員規約等が記載されている。申込書部５１に記入された事項のうちの所定の事項は、控え部５２に複写される。
【０００３】
【発明が解決しようとする課題】
しかし、前述の従来の申込用紙２００では、顧客は申込用紙２００を持ち帰り、申込書部５１に所定事項を記入し、再度そのガソリンスタンド等に持参して入会手続等を行なう必要があり、申込手続が不便であった。
また、申込書部５１の記入事項のうちある一部のみについて控えを取りたい場合でも、申込書部５１の略全面に控え部５２を設けなければならない構造となっており、無駄な部分が多かった。
【０００４】
本発明は、前述のような課題を解消するためになされたものであって、手続が簡素化され、必要十分な事項のみ控えを取ることができるフォームの製造方法を提供することを目的とする。
【０００５】
【課題を解決するための手段】
上記の目的を達成するために、請求項１の発明は、複数の帳票部が折り返し可能に並設された第１帳票と、前記第１帳票の一部の帳票部に重ねられ、その所定の３辺の外縁部が前記第１帳票の一部の帳票部に接着された第２帳票と、前記第１帳票の他の一部の帳票部に重ねられ、その所定の外縁部が前記第１帳票の他の一部の帳票部に接着された第３帳票とを備え、前記第１帳票の一部の帳票部と前記第２帳票とにより封筒部を形成し、前記第１帳票のうち前記封筒部を形成しない帳票部は、情報記録領域を有するとともに前記封筒部に封入される封入用紙部を形成し、前記第１帳票の他の一部の帳票部と前記第３帳票とにより、前記第３帳票に記録された情報の少なくとも一部が前記第１帳票の他の一部の帳票部に複写される情報複写部を形成する封筒付きフォームを製造する封筒付きフォームの製造方法において、前記第１から第３の帳票として、前記第１帳票の前記各帳票部の配列方向と直交する方向に連続する連続帳票を用い、前記第１帳票の前記封筒部に対応する帳票部に略コ字状に糊引部を、前記第１帳票の前記封入用紙部に対応する帳票部に略帯状に糊引部を形成する糊引部形成工程と、前記糊引部形成工程後に、前記第１帳票の前記封筒部に対応する帳票部に前記第２帳票を、前記第１帳票の前記封入用紙部に対応する帳票部に前記第３帳票を丁合する丁合工程と、前記丁合工程後に、前記第１帳票と前記第２帳票及び前記第３帳票とを密接し、前記各糊引部によって接着する接着工程と、前記接着工程で接着された前記第１帳票と前記第２帳票及び前記第３帳票とを個々のフォーム部に切離す切離工程と、を備えることを特徴とする封筒付きフォームの製造方法である。
【０００６】
請求項２の発明は、請求項１に記載の封筒付きフォームの製造方法において、  前記第１帳票の一部の帳票部と前記第２帳票のうちいずれか一方の接着されない外縁部は、前記封筒部のフラップ部を形成することを特徴とする封筒付きフォームの製造方法である。
請求項３の発明は、請求項１又は請求項２に記載の封筒付きフォームの製造方法において、前記封筒部は、前記第１帳票の一端部に位置する帳票部に形成され、前記情報複写部は、前記第１帳票の他端部に位置する帳票部に形成されることを特徴とする封筒付きフォームの製造方法である。
【０００７】
【作用】
請求項１の発明においては、封筒部を備えているので、フォームを持ち帰った者がフォームを郵送等により発送することができる。また、情報複写部は、第１帳票の一部の帳票部に設けられるので、必要十分な事項のみ控えをとることができる。
請求項２の発明においては、封筒部にはフラップ部が形成されているので、フォームから切離せばそのまま封筒として使用でき、封緘が容易となる。
請求項３の発明においては、第１帳票の一端に封筒部、他端に情報複写部を設けるようにしたので、連続帳票を台紙とし台紙上に帳票片を重ねて接着した後に個々のフォームに切離すことにより、封筒付きフォームの生産性が高まる。
【０００８】
【実施例】
以下、図面等を参照して、本発明の一実施例について説明する。図１は、本発明による封筒付きフォームの一実施例の構成を示す図であり、（ａ），（ｂ）はそれぞれフォームの内面側，外面側を示している。
図１に示すように、この封筒付きフォーム１００は、封筒部４と、情報記録部７と、情報複写部６を備えて構成されている。封筒部４は、帳票部１１と、帳票部１１に重ねられた帳票２から成り、帳票部１１と帳票２の３辺の外縁部が接着され、袋状に構成されている。帳票部１１のうち、袋状になっていない１辺の外縁部がフラップ部１５を形成している。フラップ部１５には水で濡らすことにより接着性を発揮する糊が塗布されている。また、フラップ部１５と袋状部分との境界は上下方向の折曲げ線Ｌ４により折り返し可能となっている。封筒部４の外面には、図１（ｂ）に示すように、封筒部４の受取人の宛名等が予め印刷されている。
【０００９】
情報記録部７は、帳票部１１のフラップ部１５と上下方向のミシン目Ｌ１により切離し可能に連接された帳票部１２と、帳票部１２に連接した帳票部１３から構成されている。帳票部１２と帳票部１３は、上下方向の折曲げ線Ｌ５により折り返し可能となっている。帳票部１２及び１３には情報記録領域１９ａ，１９ｂが設けられており、このフォーム１００を何らかの会員申込み用紙等に使用した場合に申込み事項の記載領域となる。図において帳票部１２及び１３の上方には、左右方向のミシン目Ｌ２が設けられており、切離し可能になっている。情報記録部７の外面には、図１（ｂ）に示すように、会員規約等の事項が予め印刷されている。
【００１０】
情報複写部６は、帳票部１３と上下方向の折曲げ線Ｌ６により連接された帳票部１４と、帳票部１４に重ねられた帳票３から成り、帳票部１４と帳票３の外縁部の一つが接着されている。帳票３には情報記録領域１９ｃが設けられており、この情報記録領域１９ｃに記入された情報が、カーボン式又はノンカーボン式等により下方の帳票部１４に複写されるようになっている。帳票部１４及び帳票３の上方には、左右方向のミシン目Ｌ３が設けられており、切離し可能になっている。
【００１１】
帳票部１１〜１４は、ミシン目又は折曲げ線で連接された帳票１を構成している。また、帳票１のうち、ミシン目Ｌ１とミシン目Ｌ２及びＬ３で切離すと、その一つは封筒部４となり、他方は封入用紙部５となる。封筒部４は、折曲げ線Ｌ４で折り曲げてフラップ部１５を折り返し封緘することにより、封筒として使用可能となっている。封入用紙部５は、情報記録部７と情報複写部６の上部を切離した部分であり、折曲げ線Ｌ５及びＬ６で三つ折りにすることにより封筒部４に封入可能となっている。
【００１２】
次に、封筒付きフォーム１００の製造方法について説明する。図２は、本発明による封筒付きフォームの第１の製造方法を説明する図である。
この方法では、まず、台紙として、図２（ａ）中上下方向に連続し、この方向に流れる連続帳票２０を使用する。この連続帳票２０は、４つの帳票部２０ａ，２０ｂ，２０ｃ，２０ｄから成り、帳票部２０ａの一端と帳票部２０ｄの一端、すなわち連続帳票２０の図中左右端となる箇所には、スプロケット孔２１，２２が形成されている。また、連続帳票２０の帳票部２０ａには、図２（ａ）に示すように、略「コ」字状に糊引部２３が形成され、連続帳票２０の帳票部２０ｄには、略帯状に糊引部２４が形成されている。
【００１３】
次に、片側にスプロケット孔２５が形成された封筒用の帳票片２７が、そのスプロケット孔２５を連続帳票２０のスプロケット孔２１と合致させるようにして丁合される。また、同時に、片側にスプロケット孔２６が形成された控え用の帳票片２８が、そのスプロケット孔２６を連続帳票２０のスプロケット孔２２と合致させるようにして丁合される（図２（ｂ）参照）。丁合後、これらの帳票片２７，２８は、連続帳票２０に密接され、糊引部２３，２４によって接着される。この後、重ねられたスプロケット孔部分はスリット（裁断）され除去される。そして、個々のフォーム部分を切離せば、図２（ｃ）に示すように、封筒付きフォーム１００が形成される。この第１の製造方法によれば、従来より公知の丁合機を使用して封筒付きフォーム１００を形成することができる。
【００１４】
次に、他の製造方法について説明する。図３は、本発明による封筒付きフォームの第２の製造方法を説明する図である。
この方法では、台紙として、図３（ａ）中上下方向に連続し、この方向に流れる連続帳票３０を使用する。この連続帳票３０は、４つの帳票部３０ａ，３０ｂ，３０ｃ，３０ｄから成る。この連続帳票３０の場合は、上記の連続帳票２０の場合とは異なり、スプロケット孔は設けられていない。この方法の場合には、台紙である連続帳票３０と同期をとりながら、封筒用の帳票片３７と控え用の帳票片３８とを貼り合わせていく。この貼り合わせは、図３（ｂ）に示すようなフンケラー社（スイス）製の「ウェブフィニッシングシステム」を用いて行う。図中左側から右方向に送られる連続帳票３０に対し、ロール４１から帳票片３７，３８を引き出し、貼付け機構４２においてこれらを貼り付けるとともに所定の長さで切断する。このようにすることにより、例えば封筒用の帳票片３７，控え用の帳票片３８を連続帳票３０に貼り付けることができる。この後、個々のフォーム部分を切離せば、封筒付きフォーム１００が形成される。
【００１５】
次に、封筒付きフォーム１００の使用方法について説明する。
例として、上記の封筒付きフォーム１００を、クレジットカードの申込用紙として使用する場合を挙げる。その場合には、フォームは、全体が最初から折り返され、４つ折り状態となっている。このフォームは、クレジット会社の営業箇所の窓口等に置いてある。入会申込希望者はフォームを持ち帰って、所定事項を記入する。次に、図４に示すように、ミシン目Ｌ１及びＬ２，Ｌ３を切離すことにより、申込書となる封入用紙部５を分離し、封筒部４に入れてクレジット会社へ郵送する。この場合、帳票３は、控えとして入会希望者（記入者）が切り離し、保管する。
【００１６】
以上、本発明の一実施例について説明したが、本発明は、上述した実施例に限定されることなく、均等の範囲内で以下のような種々の変形が可能である。
（１）実施例では、帳票３を、記入者が保管するものとして説明したが、帳票３は記入者の控え用以外の用途にも使用することができる。すなわち、帳票３が付いた状態で封筒部４に入れて発送するようにしてもよい。
（２）本発明のフォームは、クレジットカードの申込に限られるものではなく、また、金融機関と顧客との間で使用されるものに限られない。
【００１７】
（３）また、本発明のフォームは、郵送だけでなく、記入者が持参する場合にも使用可能である。
（４）実施例では、封筒部４を図１の左端に、情報複写部６を図１の右端に設けるものとして説明したが、この配置は他の配置とすることができる。すなわち、封筒部４を図１の右端に、情報複写部６を図１の左端に設けるようにしてもよい。
（５）実施例では、帳票３を帳票部１４の図１における右端に接着するものとして説明したが、帳票３の接着部分を他の部分とすることができる。すなわち、帳票３を帳票部１４の図１における左端に接着するようにしてもよい。
【００１８】
（６）実施例では、フォーム全体を４つ折り構成とし、封入用紙部５を３つ折り構成として説明したが、これは他の構成とすることができる。すなわち、フォーム全体を３つ折り構成とし、封入用紙部５を２つ折り構成にしてもよい。
（７）また本発明のフォームでは、フォームを製造した後にプリンタ等により印字が可能である。したがって、フォームに個別の個人情報等を印字して使用することも可能である。
（８）さらに、本発明のフォームでは、帳票３を利用して、懸賞等を行なうこともできる。すなわち、控え部に個別の数字や絵柄を印字しておき、後日抽選等により当選者を決定し賞品等を発送する方式、あるいは、控え部を持参して来店等した者に景品を贈呈したり優待券を贈呈したりする方式等を行なうことができる。
【００１９】
（９）実施例では、フラップ部１５はミシン目Ｌ１で切離したままとして説明したが、これは他の構成とすることができる。すなわち、上下方向のミシン目Ｌ１の上端付近と下端付近に斜線状のミシン目を追加し、フラップ部１５の両角を切り欠くようにし、フラップ部１５を封筒部４に接着したときにフラップ部１５の角部が封筒部４からはみ出さないようにすることもできる。
【００２０】
【発明の効果】
請求項１の発明によれば、封筒部を備えているので、フォームを持ち帰った者がフォームを郵送等により発送することができる。また、情報複写部は、第１帳票の一部の帳票部に設けられるので、必要十分な事項のみ控えをとることができる。
また、請求項２の発明によれば、封筒部にはフラップ部が形成されているので、フォームから切離せばそのまま封筒として使用でき、封緘が容易となる。
さらにまた、請求項３の発明によれば、第１帳票の一端に封筒部、他端に情報複写部を設けるようにしたので、連続帳票を台紙とし台紙上に帳票片を重ねて接着した後に個々のフォームに切離すことにより、封筒付きフォームの生産性を高めることができる。また、一般の丁合機を使用して製造することができる。
【図面の簡単な説明】
【図１】本発明による封筒付きフォームの一実施例の構成を示す図である。
【図２】本発明による封筒付きフォームの第１の製造方法を説明する図である。
【図３】本発明による封筒付きフォームの第２の製造方法を説明する図である。
【図４】封筒付きフォーム１００を封筒部４と封入用紙部５に分離し、封入用紙部５が封筒部４に封入されるときの様子を示す図である。
【図５】従来の申込用紙の一例の構成を示す図である。
【符号の説明】
１〜３  帳票
４  封筒部
５  封入用紙部
６  情報複写部
７  情報記録部
１１〜１４  帳票部
１５  フラップ部
１９ａ，１９ｂ，１９ｃ  記録領域
２０  連続帳票
２１，２２，２５，２６  スプロケット孔
２３，２４  糊引部
２７，２８  帳票片
３０  連続帳票
３７，３８  帳票片
４１  貼付け用紙ロール
４２  貼付け機構
１００  封筒付きフォーム
Ｌ１〜Ｌ３  ミシン目
Ｌ４〜Ｌ６  折曲げ線
【図１】
0003539798.tif 000002
【図２】
0003539798.tif 000003
【図３】
0003539798.tif 000004
【図４】
0003539798.tif 000005
【図５】
0003539798.tif 000006